(57)【要約】【課題】外壁材を長期に亘り安定して支持可能で、しかも熱損失を小さくできる外断熱用の荷重受支持ブラケットの提供。【解決手段】建物の躯体に配した面材と外壁材を固設する通気胴縁との間にスポット的に配した筒状本体１ａ及び長ビス支持手段２からなるブラケット１を使用した構造である。ブラケット１は、その筒状本体１ａの外端及び断熱材の外面に配した通気胴縁の外側から挿入しその筒状本体１ａ中を貫通させた長ビスを面材及び柱等にねじ込んで固定する。長ビスは長ビス支持手段２のテーパ状案内部２ａで軸心に案内され、支持パイプ部２ｂで軸心に保持される。またブラケット１は、その筒状本体１ａの内端に、断熱材への押し込み時に、断熱材を旋回切断する切り刃４を備えた構造としたものである。【選択図】  図２
2008025124.tif 000002
【特許請求の範囲】
【請求項１】
建物の躯体に固設した面材と外壁材を固設する通気胴縁との間に介在し、面材の前面に配した断熱材中にスポット的に埋め込んで使用する荷重受支持ブラケットであって、
その本体を筒状に構成し、かつその外端側内部に、外端に当接させた通気胴縁を該部位に固定すべく貫通される軸状結合部材をその軸心に案内するテーパ状案内部及び該テーパ状案内部から内端側に延び、軸心で該軸状結合部材を支持する支持パイプ部からなる結合部材支持手段を構成し、該軸状結合部材をその中空部を通じて前記躯体に結合し得るようにした荷重受支持ブラケット。
【請求項２】
前記結合部材支持手段を金属で構成し、前記筒状の本体内に装入固設した請求項１の荷重受支持ブラケット。
【請求項３】
前記結合部材支持手段を、前記筒状の本体と一体に構成した請求項１の荷重受支持ブラケット。
【請求項４】
前記筒状の本体の内端に、前記断熱材への埋め込み時に該断熱材の埋め込み部位を旋回切断する切り刃を構成した請求項１、２又は３の荷重受支持ブラケット。
【請求項５】
前記結合部材支持手段のテーパ状案内部を、前記筒状の本体の外端からその軸方向３／１０の範囲内に納まるように構成した請求項１、２、３又は４の荷重受支持ブラケット。
【発明の詳細な説明】
【技術分野】
【０００１】
本発明は、建物の躯体の外側に断熱材を配した外断熱構造に於いて、外壁材を確実に支持するために使用する荷重受支持ブラケットに関するものである。
【背景技術】
【０００２】
建物の外壁の構成には、断熱材を躯体の内面に配する構成の内断熱と、外面に配する構成の外断熱とがある。この外断熱は、内断熱と比較して、特に省エネルギーの点、躯体に熱応力が生じない点、結露防止の点等で優れており、これらの利点が徐々に知られてきている。ヨーロッパ各国では、外断熱が広く採用されており、今後、日本でも内断熱に代わって多くの建物で採用されると思われる。
【０００３】
現在、実施されている外断熱の施工の例としては、図６に示すように、面材１１に断熱材１２を分断しながら所定間隔毎に横桟５０を固設し、この横桟５０に外壁材１５を支持するための通気胴縁１４を取り付ける支持構造が採用されている。
【０００４】
なお前記通気胴縁１４は一定間隔で設置される縦桟をそのように称しており、これによって断熱材１２と外壁材１５との間に空気の流動する空間を確保する。この空間を空気が流動することにより断熱材１２を乾燥した状態に保つことができる。
【０００５】
図６の支持構造の場合、横桟５０が断熱材１２の欠損部となり、横桟５０が熱の移動する熱橋となるため熱損失が大きくなり断熱性能が低下するという問題点がある。
【０００６】
他の例としては、図７に示すように、硬質発泡系の断熱材１２を使用し、該断熱材１２の高い圧縮強度を利用してその前面に外壁材１５を支持するための通気胴縁１４を配すると共に、これを長ビス１３等の軸状の結合部材で固定する支持構造がある。
【０００７】
図７の支持構造の場合、硬質発泡系の断熱材１２の内部にあるガスが時間の経過とともに抜けるため該断熱材１２は収縮し、強度が低下するという問題がある。
【０００８】
このように内部のガスが抜けた場合は、該断熱材１２はこれに加わる自重によりそれ自体が収縮し、該断熱材１２と通気胴縁１４との間に隙間が生じることとなり、外壁材１５の荷重は結局長ビス１３だけに働くことになる。
【０００９】
同様に断熱材１２の収縮により長ビス１３と断熱材１２との間にも隙間が生じる。その結果、硬質発泡系の断熱材１２による支持が失われることになり、該長ビス１３の荷重に対する曲げ強度が低下するに至る。そのため外壁材１５の荷重により該長ビス１３が曲がり、その結果として外壁材１５がずり下がることになるという問題点がある。
【００１０】
これらの問題に対しては特許文献１及び２の提案がある。
これらの文献１及び２に示されるブラケットは、建物の躯体に確実に通気胴縁を固定できるものであり、長期に亘る使用にも不安のない堅牢なものであるが、それだけに若干高価になる傾向もあり、簡易で安価なブラケットが求められていた。
そこで、以上のような問題を解決すべく、特許文献３の発明が提案されるに至った。これは、外壁材等による荷重が加わっても変形が非常に小さく、外壁材を長期に亘り安定して支持することが可能で、しかも熱損失が小さく、外断熱の性能を良好に保持し得る簡易で安価な荷重受支持ブラケットである。しかしその筒状の本体の周壁部に配することとされる長ビスが、その構成上、径の細い物が用いられ、この場合は、それで充分なのであるが、華奢で弱そうに見えるため、実際の強度は十分であっても、需要者に安心感を与えない問題がある。
【００１１】
【特許文献１】特開２００２−３０７３９号公報
【特許文献２】特開２００３−４９４９６号公報
【特許文献３】特開２００５−２４８４６７号公報
【発明の開示】
【発明が解決しようとする課題】
【００１２】
本発明は、以上のような特許文献３の問題、即ち、見た目に弱そうに見えて、需要者に安心感を与えないという問題を解決し、同時に、該特許文献３が解決を目指したものと同様の問題、即ち、外壁材等による荷重が加わっても変形が非常に小さく、外壁材を長期に亘り安定して支持することが可能で、しかも熱損失が小さく、外断熱の性能を良好に保持し得る簡易で安価な荷重受支持ブラケットを提供することを解決の課題とする。
【課題を解決するための手段】
【００１３】
本発明の１は、建物の躯体に固設した面材と外壁材を固設する通気胴縁との間に介在し、面材の前面に配した断熱材中にスポット的に埋め込んで使用する荷重受支持ブラケットであって、
その本体を筒状に構成し、かつその外端側内部に、外端に当接させた通気胴縁を該部位に固定すべく貫通される軸状結合部材をその軸心に案内するテーパ状案内部及び該テーパ状案内部から内端側に延び、軸心で該軸状結合部材を支持する支持パイプ部からなる結合部材支持手段を構成し、該軸状結合部材をその中空部を通じて前記躯体に結合し得るようにした荷重受支持ブラケットである。
【００１４】
本発明の２は、本発明の１の荷重受支持ブラケットに於いて、前記結合部材支持手段を金属で構成し、前記筒状の本体内に装入固設したものである。
【００１５】
本発明の３は、本発明の１の荷重受支持ブラケットに於いて、前記結合部材支持手段を、前記筒状の本体と一体に構成したものである。
【００１６】
本発明の４は、本発明の１、２又は３の荷重受支持ブラケットに於いて、前記筒状の本体の内端に、前記断熱材への埋め込み時に、該断熱材の埋め込み部位を旋回切断する切り刃を構成したものである。
【００１７】
本発明の５は、本発明の１、２、３又は４の荷重受支持ブラケットに於いて、前記結合部材支持手段のテーパ状案内部を、前記筒状の本体の外端からその軸方向３／１０の範囲内に納まるように構成したものである。
【発明の効果】
【００１８】
したがって、本発明の１の荷重受支持ブラケットによれば、一面で、その本体の中心を貫通する軸状結合部材として標準的な径の長ビス等が用いられるため、需用者に強度上の不安感を与える虞がなくなり、他面で、簡易な構成でありながら、これを使用することにより建物の外壁材の荷重を長期間に亘り確実に保持でき、外壁材のずれ下がりを長期にわたって確実に防止できるという実質的な利点を有する。
【００１９】
通気胴縁を筒状の本体の外端に固定するための軸状結合部材は、前記テーパ状案内部及び支持パイプ部を備えた結合部材支持手段により、該筒状の本体の中心軸に沿って確実にかつ殆ど緩みなく保持されるため、該通気胴縁を介して加わる外壁材の重量等に基づく曲げ荷重は、該筒状の本体で受け、該軸状結合部材はそれらの重量等に基づく剪断力のみを受け持つことになる。該筒状の本体は、軸状結合部材に比べると極めて大きな径を持っており、その内端が躯体に固定した面材に当接状態となっているため、前記曲げ荷重を全面的にかつ能率的に受けることができるものである。
【００２０】
そのため、軸状結合部材の負担が軽減され、十分な余裕を持つことになり、通気胴縁を長ビスのみで固定した従来の場合と比較して、その固定個所を十分に減少させることが可能になる。このように、従来の長ビスによる場合より施工個所を減少させることができることにより施工時間が短縮され、作業効率が向上することになる。更には熱橋となる長ビス等の軸状結合部材を従来の本数より減少できるため断熱性能が向上することにもなる。
【００２１】
また前記軸状結合部材は、前記面材を介して躯体を構成する柱や間柱等に刺し込まれたり、螺合される長ビスや長釘であるが、従来技術の場合と異なり、該軸状結合部材は、前記筒状の本体の外端側内部に配した結合部材支持手段のテーパ状案内部の作用で、該筒状の本体の中心軸に案内され、これが支持パイプ部で確実に保持され、柱や間柱の適正な位置に誤りなく結合されることになる。
【００２２】
本発明の２の荷重受支持ブラケットによれば、十分な強度を持った結合部材支持手段を比較的小型に構成することが可能になり、筒状の本体の外端側内部に配した場合に、その全体に占める容量割合を小さくすることが可能になる。これにより、断熱材の該筒状の本体中に進入する空間を広く保持することが可能になる。
【００２３】
本発明の３の荷重受支持ブラケットによれば、前記結合部材支持手段を、前記筒状の本体と一体にプラスチック材等により成形することにより、より安価に製造することが可能になる。
【００２４】
本発明の４の荷重受支持ブラケットによれば、その内端に切り刃を設けたので、その筒状の本体を回転させながら断熱材の該当する部位に押し込めば、該当する部位を旋回切断しつつ容易に該当部位に埋め込み設置することができ、ブラケットの取り付け作業性が向上することになる。またこのとき、該ブラケットの筒状の本体内に、特別の処理操作をすることなく、切断された円柱状の断熱材片が進入し、ブラケット設置位置の断熱性を保持することができる。
【００２５】
本発明の５の荷重受支持ブラケットによれば、該当部位の断熱材を円形に切断し、その断熱材の切断片を筒状の本体内に充填する場合に、前記結合部材支持手段は前記筒状の本体の前端付近の一部を占めるのみであるため、その内端寄りの残余の空間に該断熱材の切断片を充填可能であり、また、このとき、断熱材切断片の限度を越えた圧縮の必要が生じない。
【発明を実施するための最良の形態】
【００２６】
本発明は、建物の躯体に固設した面材と外壁材を固設する通気胴縁との間に介在し、面材の前面に配した断熱材中にスポット的に埋め込んで使用する荷重受支持ブラケットであり、基本的に、筒状の本体と、該筒状の本体の外端側内部に構成した結合部材支持手段とで構成したものである。
【００２７】
前記筒状の本体は、その外端は、通気胴縁を当接させ、その外側から挿入した軸状結合部材をその中空部及び前記支持パイプ部を通じて前記建物の躯体に結合し得るように構成したものであり、内端は、該躯体に当接させて、このブラケットに掛かる外壁材等の重量に基づく曲げ荷重を受ける作用を担当する。該筒状の本体は、このような作用を果たし得る限り、その径、周側の厚み等を自由に設定することができる。また材質も同様に上記作用を果たし得る限り、特別な物に限定されない。
【００２８】
該筒状の本体の外端には、これに当接する通気胴縁に食い込むことによってこれをその部位に固定するための複数の突起を構成することができる。また外端の周囲には、断熱材を抑える鍔を張り出すこととすることもできる。
【００２９】
また該筒状の本体の内端には、このブラケットの断熱材への埋め込み時にその埋め込み対応部位を旋回切断するための切り刃を構成しておくのが適当である。或いは、内端に、断熱材への埋め込み時にその埋め込み対応部位を旋回切断し得るとともに、該内端に、該部位を前記面材に突き刺し固定するための切り針を構成することとすることもできる。
【００３０】
前記結合部材支持手段は、前記筒状の本体の外端側内部に配する構成要素であり、テーパ状案内部と該テーパ状案内部の中心から延びる支持パイプ部とで構成したものである。全体としては漏斗状の外観を持つ構成であり、既述のように、筒状の本体の前端側内部に構成される要素である。このように筒状の本体内に構成された上で、このブラケットを建物の躯体に固設した面材前面の断熱材中に埋め込んで使用する場合、該筒状の本体の外端に通気胴縁を当接させ、これを固設すべく軸状結合部材をそれに適合した操作で刺し込む又はねじ込む等により挿入すると、該軸状結合部材は、該筒状の本体内でテーパ状案内部によって軸心に案内され、また軸心では支持パイプによって支持され、更に本体内の残余の空間（中空部）に充填された断熱材片中を通じて前記躯体に結合することになる。
【００３１】
ところで前記テーパ状案内部は、前記軸状結合部材をスムーズに案内できる適当な開口角で構成することができる。もっとも、筒状の本体の後端側内部に、断熱材を旋回切断して生じた断熱材片を充填して断熱性能の低下を避けるという観点からは、該断熱材片を圧縮し過ぎずに充填可能な空間を残しうる開口角とすべきである。この場合は、開口角は、該テーパ状案内部が該筒状の本体の外端からその軸方向３／１０の範囲内に納まり得るように設定するのが好ましい。
【００３２】
また前記支持パイプ部は、該テーパ状案内部の中心から延長するように構成するもので、その内径は、対象とする軸状結合部材を緩みなく貫通させることが可能な程度に設定する。軸状結合部材が長釘のような物の場合は、叩き込みながら貫通可能な程度が適当であり、長ビスの場合は、これを回転させてネジを切りながら貫通可能な程度が適当である。その長さは、筒状の本体の長さの範囲内で自由に設定することができる。
【００３３】
なお、該結合部材支持手段は、これを金属で構成し、前記筒状の本体内に装入固設することとすることができるが、前記筒状の本体とプラスチック類等を用いて一体に成形することとしても良い。
【００３４】
従って本発明の荷重受支持ブラケットは次のように使用することができる。
【００３５】
初めに建物の躯体に面材を取り付ける。該面材の前面には気密シートを貼るのが好ましい。なお、シートとシートの結合部には、その間を通じて空気が移動しないように気密性能を向上させる目的で気密テープ等を貼り付けるべきである。次いで該気密シートの前面に断熱材を取り付ける。断熱材を躯体の外側に取り付けるのは外断熱構造の特徴である。
【００３６】
この後、該断熱材の外面側から前記荷重受け支持ブラケットを前記面材の前面まで埋め込む。前記のように、筒状の本体の内端に断熱材の該当部位を旋回しつつ切断するための切り刃又は切り針を構成した場合は、該筒状の本体を電動工具等を用いて回転させながら押し込むのが適当である。こうして断熱材への埋め込みを容易にすることができる。
【００３７】
該ブラケットは、先に述べたように、以上のようにして取り付ける際に、切断した断熱材片をその筒状本体の中空部に進入させ得る構造となっている。このことにより、断熱材の欠損部をできるだけ少なくし、熱損失を小さく抑えて、断熱性能の低下を防ぐようになっている。
【００３８】
該ブラケットをこのように断熱材中に埋め込んだ上で、該ブラケットを面材又は面材及び躯体に固定する。この固定は、通気胴縁のこれへの固定を兼ねる軸状結合部材を用いて行う。この軸状結合部材としては、前記したように、長ビスや長釘等の相応する部材を自由に用いることができる。もっとも熱橋とならないようにするため、断熱ネジ等の低熱伝導性の素材で構成したそれを採用するのが好ましい。
【００３９】
この固定は、まず断熱材の外面及び前記筒状の本体の外端に通気胴縁を当接させ、該通気胴縁を長ビス等の軸状結合部材で躯体に固定する。該軸状結合部材は、該通気胴縁を貫通させ、該筒状の本体に、その外端から進入させ、前記結合部材支持手段を通じて前記面材又は面材及び躯体に結合させる。
【００４０】
該軸状結合部材は、前記のようにして、筒状の本体に進入すると、結合部材支持手段のテーパ状案内部で該筒状の本体の軸心に案内され、引き続いて支持パイプ部で軸心に保持すべく支持され、該支持パイプ部を抜けると、該筒状の本体の内端側から進入して充填状体となっている断熱材片を貫通し、面材及び躯体に至ることとなる。そして、該面材又は該面材及び躯体に、ねじ込み又は刺し込み等のその軸状結合部材の性質に応じた結合態様で結合することになる。こうしてこのブラケットは、該面材及び躯体に固定されることになる。
【００４１】
本発明では、軸状結合部材は、以上のように、結合部材支持手段のテーパ状案内部で筒状の本体の軸心に案内されるため、躯体を構成する柱や間柱の適切な位置に適切に結合することができ、ブラケットの躯体との結合を確実なものとすることができる。
【００４２】
次いで前記通気胴縁の外面側に種々の化粧材である外壁材を釘等の結合手段により固設する。
【００４３】
一般的には、構造材である建物躯体が木材で構成される木造建築物の場合は前記軸状結合部材として長釘や長ビス等を採用するのが適当である。建物躯体がコンクリート又は鉄筋等の場合は軸状結合部材としてアンカーボルト等を採用するのが適当である。
【００４４】
このようにして前記ブラケットを使用して構築したこの外断熱壁構造は、面材とブラケット及びブラケットと通気胴縁は、それぞれ長釘又は長ビス等の軸状結合部材により各面を介して固定される。即ち、外壁材の荷重は、順次、該外壁材と通気胴縁、通気胴縁とブラケットの筒状の本体外端、ブラケットの筒状の本体内端と面材のように、以上の各部材の相互の面で受ける構造となるため、相互間で良好に受けることができ、外壁材のずれ下がりを抑えることができる。
【００４５】
また、前記ブラケットは、その筒状の本体を円筒状に構成し、取り付け時の周方向の方向性を無くすることにより、取付作業時にその方向を定める必要をなくして作業性を向上させることができる。更にまたこの筒状の本体を円筒状とすることにより、地震時の縦方向又は横方向の揺れに対して同等の強度を保持し得る利点があることになる。
【実施例１】
【００４６】
図１及び図２を参照しつつ実施例１を説明する。
この実施例１のブラケット１は、図２(a)、(b)、(c)に示すように、基本的に、筒状本体１ａと、該筒状本体１ａの外端側内部に構成した長ビス支持手段（結合部材支持手段）２とで構成したものである。
【００４７】
前記筒状本体１ａは、円筒状を基本形とする部材であり、その外端部に電動工具の回転軸先端に配してある治具を係止する係止孔５を備え、その後端に多数の切り刃４、４…を備えたものである。該係止孔５は、該筒状本体１ａの外端内側に鍔部３を張り出し、その内縁を六角形に形成して構成したものである。また前記切り刃４は、特に図２(a)に示すように、内端に軸方向に向かって突出させた変形菱形の刃物であり、多数のそれが各々放射斜め方向の向きで、相互は定角度間隔で配されたものである。筒状本体１ａを回転させつつ断熱材１２中に押し込むと、その多数の切り刃４、４…によって該断熱材１２を切り開きながら進入できるようになっている。筒状本体１ａの内端に突出する多数の切り刃４、４…の内端、即ち、その後記面材１１に接する側の部位は、図２(b)に示すように、該面材１１と面で接触するように平面状に形成してある。
【００４８】
前記長ビス支持手段２は、図２(a)、(b)、(c)に示すように、テーパ状案内部２ａと該テーパ状案内部２ａの中心から延びる支持パイプ部２ｂとで構成したもので、全体としては漏斗状の外観をなす。この長ビス支持手段２は、この実施例１では、金属部材で構成し、前記筒状本体１ａの外端側内部に内装し、該テーパ状案内部２ａを該筒状本体１ａの外端側に向け、その外縁部を前記鍔部３の内面に当接させて嵌め込み固定する。該筒状本体１ａの外端の鍔部３の内側には１８０度の角度間隔で係止突起３ａ、３ａを突出させておき、該テーパ状案内部２ａの外縁部の該当部位に形成しておいた切欠部をこれらに係止させ、回転止めをしたものである。
【００４９】
なお該テーパ状案内部２ａの軸方向の寸法は、前記筒状本体１ａの外端からその軸方向の長さの３／１０の範囲に納まるものとした。
【００５０】
また前記支持パイプ部２ｂは、該テーパ状案内部２ａの中心から延長するように構成した管状の構成要素で、その内径は、対象とする長ビス（軸状結合部材）１３をこれによってネジを切りながら貫通させることが可能な寸法とした。またそれが可能な金属材料を用いた。該支持パイプ部２ｂの長さは、その後端が、長ビス支持手段２の筒状本体１ａへの取付状態で、前記筒状本体１ａの中間部に届くものとした。
【００５１】
この実施例１のブラケット１は、以上のように構成したものであり、以下のように使用することができる。
【００５２】
図１に示すように、予め建物の躯体を構成する柱１０ａ等の外面側に板状の面材１１を固設し、該面材１１の外面に断熱材１２を配しておく。この後、この実施例１のブラケット１を該断熱材１２の所定の部位にスポット状に埋込セットする。このように、該断熱材１２中にセットしたブラケット１は、その筒状本体１ａの外端に当接させた通気胴縁１４にその外部側から挿入した長ビス（軸状結合部材）１３を躯体を構成する柱１０ａ等にねじ込むことで、該通気胴縁１４と共に固定する。
【００５３】
以上の断熱材１２中へのブラケット１のセットは、電動工具を利用して、該ブラケット１の筒状本体１ａを回転駆動して容易に行うことができる。この場合は、該ブラケット１の筒状本体１ａの外端に該電動工具の先端の治具を結合し、これを駆動して該ブラケット１をその軸心を中心に回転させながら断熱材１２に中に押し込む。
【００５４】
該ブラケット１の筒状本体１ａの外端には係止孔５が構成してあり、該電動工具の治具を該係止孔５に嵌め込めばこれを容易に回転駆動することができる。また該ブラケット１の筒状本体１ａの内端には、図２(a)、(b)に示すように、複数の切り刃４、４…が構成してあり、これらが該断熱材１２を旋回切断しながら進行することとなり、該断熱材１２への押し込み操作は容易に行えることになる。
【００５５】
このように筒状本体１ａをその軸心を中心に回転させ、切り刃４、４…で断熱材１２の所定部位を切り開きながらこれを押し込むと、切断されたほぼ円柱状の断熱材片が発生し、これが相対的に該筒状本体１ａの内側中空部に進入することになる。この中空部の外端側には前記長ビス支持手段２が配してあるが、そのテーパ状案内部２ａは、前記したように、該筒状本体１ａの外端側から軸方向の長さの３／１０の範囲までに配した物であるため、内端側に軸方向の長さで７／１０の範囲の残余空間がある。従って、前記のようにして発生したほぼ円柱状の断熱材片は、この中に進入すると、若干圧縮されるが、該筒状本体１ａの断熱材１２への埋込進入の障害となる程の応力を発生する虞はない。またこのようにして断熱材片が該筒状本体１ａ中に進入することにより、ブラケット１の埋込部に於いても断熱材１２の欠損が殆ど生じなくなり、断熱性能の低下を最小限度に抑制することができる。
【００５６】
なお、この実施例１では、断熱材１２として硬質のプラスチック製のそれを採用したため、以上のように、ブラケット１の埋込セットのために、電動工具を使用して切り開きながら押し込み操作をすることが有効であるが、軟質の断熱材を採用した場合は、単に手作業で押し込むことも可能であり、その方が手軽な場合もある。この場合も、当然、断熱材の該当部位は、筒状本体１ａの周側部で破断され、円柱状の断熱材片が生じ、これが中空部に進入することとなるため、断熱材に欠損部を殆ど生じさせず、断熱性能の低下を極力抑制することができる。
【００５７】
次いで、図１に示すように、該ブラケット１の筒状本体１ａの外端部及び断熱材１２の外面に通気胴縁１４を当接させ、該通気胴縁１４の外面側から該ブラケット１内に全ネジタイプの長ビス１３をねじ込む。該長ビス１３は、該ブラケット１の筒状本体１ａ内に進入すると、長ビス支持手段２のテーパ状案内部２ａに案内されてその軸心に導かれ、続いて該位置から内端側に延びる支持パイプ部２ｂに進入し、これで該位置に保持されながらその内周にネジを切って更に奥に進むことになる。該長ビス１３は、該支持パイプ部２ｂの内端から突き出ると、該筒状本体１ａの軸心を内端側に進行し、前記面材１１及びその奥の躯体を構成する柱１０ａ又は間柱、若しくは土台１０ｂにねじ込み固定状態となる。
【００５８】
該長ビス１３は、前記支持パイプ部２ｂと前記面材１１との間ではこの間に充填されている断熱材片をネジを切りながら突き破って該面材１１に至る。このように、長ビス１３は、テーパ状案内部２ａ等に案内されて建物躯体を構成する柱１０ａ等に正確に導かれるので、柱１０ａから外れたり、斜めにねじ込まれたりするようなことがなく確実に結合することができる。
【００５９】
その後、図１に示すように、通気胴縁１４の外面側に化粧材である外壁材１５を固設する。こうして、外断熱構造の木造建築物で、この実施例１のブラケット１を用いた外壁材１５の取付構造は完了である。
【００６０】
図６及び図７に示すような従来の技法による場合は、一般的に、外壁材１５等の重量による荷重は長ビス１３に対して曲げ荷重として働き、長ビス１３が荷重方向である下方へ曲がり、その結果、外壁材１５のずれ下がりが生じる。この実施例１のブラケット１を使用すると、以上の曲げ荷重は、前記長ビス支持手段２を介して、該長ビス１３と比較して径が十分に大きく、その内端が面材１１に当接するブラケット１で受けることになる。該ブラケット１による曲げ荷重の支持は、以上のような構成から理解されるように、ほぼ完全であり、その曲げ荷重によって曲がることは殆どない。そのため、該長ビス１３にはそのような曲げ荷重がかかることは殆どなくなり、外壁材１５等の重量による剪断力のみを受けることになる。該長ビス１３でそのような剪断力を支持するのは十分であり、それ故、いずれにしても外壁材１５にずれ下がり等が生じることは殆どなくなる。
【００６１】
この実施例１の場合は、１個の前記ブラケット１に加わる外壁材１５の荷重は約２０kgに設定したものであり、外壁材１５の全ての荷重が剪断力として働くとした場合でも、この実施例１で用いた長ビス１３の降伏応力は約２００N/mm2であり、この長釘１３は直径が約４．２mmであるから、その１本の耐荷重は約２６４．６kgとなり十分な強度を有する。
【００６２】
この実施例１では、ブラケット１として硬質プラスチック製のそれを採用した。ブラケット１としては熱伝導率が小さいプラスチック又はセラミックス等を用いたそれが好ましいが、周壁の肉厚を薄くする等により熱の移動を小さくできるので金属製のそれも採用可能である。なお、ブラケット１の筒状本体１ａは、回転させながら押し込む場合は円筒状が好ましいが、回転しないで押し込む場合は、多角筒状でも採用可能である。
【実施例２】
【００６３】
実施例２のブラケットの構造を、図３(a)、(b)、(c)に示す。これは、実施例１のブラケット１の主体をなす筒状本体１ａの外端側に、これに当接する通気胴縁１４との固設を強化するために先端を鋭利に尖らせた突起物２０を備えた構造としたものである。施工手順及び構成する壁構造は実施例１のそれと同様である。
【００６４】
この実施例２では、図３(c)に示すように、突起物２０は筒状本体１ａの外端面に周方向に定角度間隔で４個設けた例であるが、その数及び間隔はこれに限定されない。
【００６５】
前記筒状本体１ａの外端に通気胴縁１４を固設する場合に、該通気胴縁１４を該筒状本体１ａ側へ押し付けると、該突起物２０、２０…が、該通気胴縁１４の対面する面に突き刺さることになる。したがって、地震等により生じる縦方向又は横方向の荷重等に対して、ブラケット１の筒状本体１ａと該通気胴縁１４の結合力を増すことができる。
【００６６】
また、前記ブラケット１の筒状本体１ａと前記通気胴縁１４とのずれを小さくする手段として、前記突起物２０に代えて、該筒状本体１ａの外端面に凹凸を付けることも可能である。ブラケット１の筒状本体１ａの外端面に凹凸を付けることにより、通気胴縁１４との接触摩擦抵抗を大きくすることができるため、荷重が働いたときの筒状本体１ａと通気胴縁１４とのずれを小さく抑えることができる。
【実施例３】
【００６７】
実施例３のブラケットの構造を図４(a)、(b)、(c)に示す。これは、実施例１のブラケット１の筒状本体１ａの外端周側に断熱材１２を押さえる外鍔３０を張り出させたものである。施工手順及び構成する壁構造は実施例１のそれと同様である。
【００６８】
この実施例３では、図４(b)に示すように、前記筒状本体１ａの外端周側にその径より大きな直径のドーナツ状の外鍔３０を設けたものである。実施例１のように使用すると、断熱材１２はこの外鍔３０と面材１１との間に装荷される構造となるため、該断熱材１２の通気胴縁１４側への移動や膨らみを抑えることができる。これにより、断熱材１２が軟質のものであっても、これと外壁材１５との接触部分を低減させることができるので、通気胴縁１４間の空気が流れる空間（通気層）を容易かつ確実に確保することができることになる。
【００６９】
該外鍔３０の形状は、この実施例ではドーナツ状としたが、断熱材１２の材質や種類により種々の形状とすることが可能であり、かつその径も自由に選定することができる。
【実施例４】
【００７０】
実施例４のブラケット１の構造を図５(a)、(b)、(c)に示す。これは、実施例１のブラケット１の筒状本体１ａの内端に、実施例１のように使用すると、面材１１に食い込むことにより固設を強化する切り針４０を設けた構造のものである。
【００７１】
この実施例４のブラケット１は、図５(b)に示すように、その筒状本体１ａの内端に鋭利な針状の切り針４０を定角度間隔で設けた構造であり、切り針４０、４０…は、図５(a)、(b)に示すように、ブラケット１の回転する周方向に鋭利な形状となっている。
【００７２】
ブラケット１を、実施例１で説明したように、電動工具等により回転させながら押し込むと、前記切り針４０、４０…により断熱材１２を旋回切断することができる。またブラケット１の筒状本体１ａの内端が面材１１に到達した後は、回転を止めて、外端を金槌等で叩くことにより、該切り針４０、４０…を面材１１に食い込ませることができる。これにより、ブラケット１は面材１１に一層良好に固定されることになる。
【００７３】
この実施例４の施工手順は、基本的に実施例１と同様であるが、上記のように、電動工具でブラケット１を断熱材１２中に押し込む際の最後の段階で、その回転駆動を止めた後、金槌等で該ブラケット１を叩き込む工程が新たに加わることになる。
【図面の簡単な説明】
【００７４】
【図１】実施例１の荷重受支持ブラケットを木造建築物に取り付けた状態を示す一部切欠概略断面図。
【図２】(a)は実施例１のブラケットの底面図、(b)は実施例１のブラケットの断面図、(c)は実施例１のブラケットの正面図。
【図３】(a)は実施例２のブラケットの底面図、(b)は実施例２のブラケットの断面図、(c)は実施例２のブラケットの正面図。
【図４】(a)は実施例３のブラケットの底面図、(b)は実施例３のブラケットの断面図、(c)は実施例３のブラケットの正面図。
【図５】(a)は実施例４のブラケットの底面図、(b)は実施例４のブラケットの断面図、(c)は実施例４のブラケットの正面図。
【図６】横桟を木造建築物に取り付けた状態を示す従来構造の一部切欠概略断面図。
【図７】長ビスを木造建築物に取り付けた状態を示す従来構造の一部切欠概略断面図。
【符号の説明】
【００７５】
１    ブラケット
１ａ  筒状本体
２    長ビス支持手段（結合部材支持手段）
２ａ  テーパ状案内部
２ｂ  支持パイプ部
３    鍔部
３ａ  係止突起
４    切り刃
５    係止孔
１０ａ  柱
１０ｂ  土台
１１  面材
１２  断熱材
１３  長ビス（軸状結合部材）
１４  通気胴縁
１５  外壁材
２０  突起物
３０  外鍔
４０  切り針
５０  横桟
【図１】
2008025124.tif 000003
【図２】
2008025124.tif 000004
【図３】
2008025124.tif 000005
【図４】
2008025124.tif 000006
【図５】
2008025124.tif 000007
【図６】
2008025124.tif 000008
【図７】
2008025124.tif 000009